(57)【特許請求の範囲】
【請求項１】
低遅延デジタルプリディストーションの前のパワー検出に基づくパワー調整方法であって、
事前設定されたシステムキャリア情報に基づいて、各有効キャリアに対応する有効キャリアチャネルを含む有効キャリア情報を取得するステップと、
取得した有効キャリア情報に基づいて各有効キャリアチャネルのキャリアデータに対してサンプリングを行い、その後、前記サンプリングに応じてデジタルアップコンバージョンの前またはデジタルクリッピングの除去前の有効キャリアのコンバイナパワーＰａを求めるステップと、
前記有効キャリアのコンバイナパワーＰａを用いてデジタルプリディストーションの前のパワー調整を行うステップとを含む、調整方法。
【請求項２】
前記サンプリングを行うことは、
実際使用したキャリアデータレートに対応するサンプリングデータのポイントを選択するステップと、
前記サンプリングデータのポイントに応じて、デジタルアップコンバージョン処理されていないキャリアデータに対して、各有効キャリアチャネルで相応のポイントのキャリアデータサンプリングを行うステップとを含むことを特徴とする
請求項１に記載の調整方法。
【請求項３】
前記サンプリングを行うことは、
キャリアデータレートとデジタルアップコンバージョンの補間倍数に応じて、サンプリングデータのポイントを選択するステップと、
前記サンプリングデータのポイントに応じて、デジタルアップコンバージョン処理されたキャリアデータに対して、各有効キャリアチャネルで相応のポイントのキャリアデータサンプリングを行うステップとを含むことを特徴とする
請求項１に記載の調整方法。
【請求項４】
前記デジタルアップコンバージョンの前またはデジタルクリッピングの除去前の有効キャリアのコンバイナパワーＰａを求めるステップは、
各有効キャリアチャネルでの全てのサンプリングポイントでサンプリングされたキャリアデータパワーを用いて、各有効キャリアチャネルの平均キャリアパワーを計算するステップと、
各有効キャリアチャネルの平均キャリアパワーの和を求めることによって、有効キャリアのコンバイナパワーＰａを得るステップとを含むことを特徴とする
請求項２または３に記載の調整方法。
【請求項５】
前記デジタルアップコンバージョンの前またはデジタルクリッピングの除去前の有効キャリアのコンバイナパワーＰａを求めるステップは、
各サンプリングポイントにおける全ての有効キャリアチャネルでのキャリアデータパワーの和を求めることによって、各サンプリングポイント有効キャリアのコンバイナパワーを得るステップと、
全てのサンプリングポイント有効キャリアのコンバイナパワーに対して累加平均を行い、前記有効キャリアのコンバイナパワーＰａを得るステップとを含むことを特徴とする
請求項２または３に記載の調整方法。
【請求項６】
前記コンバイナパワーＰａを用いてデジタルプリディストーションの前のパワー調整を行うステップは、
事前に作成されたパワー補償ルックアップテーブルから、前記有効キャリアのコンバイナパワーＰａに対応する補償テーブル項目Ｇａを検索するステップと、
検索された補償テーブル項目Ｇａに基づいて、最後の調整後のパワー値を確定するステップと、
遠隔無線ユニットのクリッピングモジュールのピーク除去処理によるパワー損失を補償できるように、前記パワー値をデジタルプリディストーションモジュールに送信し、当該デジタルプリディストーションモジュールが当該パワー値に応じてパワー調整を行うステップとを含むことを特徴とする
請求項４または５に記載の調整方法。
【請求項７】
前記最後の調整後のパワー値は、有効キャリアのコンバイナパワーＰａと補償テーブル項目Ｇａの積に等しいことを特徴とする
請求項６に記載の調整方法。
【請求項８】
低遅延デジタルプリディストーションの前のパワー検出に基づくパワー調整装置であって、
事前設定されたシステムキャリア情報に基づいて、各有効キャリアに対応する有効キャリアチャネルを含む有効キャリア情報を取得するように構成されているキャリア構成モジュールと、
取得した有効キャリア情報に基づいて各有効キャリアチャネルのキャリアデータに対してサンプリングを行い、その後、前記サンプリングに応じてデジタルアップコンバージョンの前またはデジタルクリッピングの除去前の有効キャリアのコンバイナパワーＰａを求めるように構成されている有効キャリアデータコンバイナパワー計算モジュールと、
前記有効キャリアのコンバイナパワーＰａを用いてデジタルプリディストーションの前のパワー調整を行うように構成されているパワー調整モジュールとを備える、調整装置。
【請求項９】
前記有効キャリアデータコンバイナパワー計算モジュールは、
実際使用したキャリアデータレートに対応するサンプリングデータのポイントを選択して、前記サンプリングデータのポイントに応じて、デジタルアップコンバージョン処理されていないキャリアデータに対して、各有効キャリアチャネルで相応のポイントのキャリアデータサンプリングを行うように構成されているサンプリングモジュールと、
前記サンプリングに応じてデジタルアップコンバージョンの前またはデジタルクリッピングの除去前の有効キャリアのコンバイナパワーＰａを求めるように構成されているコンバイナパワー計算モジュールとを含むことを特徴とする
請求項８に記載の調整装置。
【請求項１０】
前記有効キャリアデータコンバイナパワー計算モジュールは、
キャリアデータレートとデジタルアップコンバージョンの補間倍数に応じて、サンプリングデータのポイントを選択し、そして前記サンプリングデータのポイントに応じて、デジタルアップコンバージョン処理されたキャリアデータに対して、各有効キャリアチャネルで相応のポイントのキャリアデータサンプリングを行うように構成されているサンプリングモジュールと、
前記サンプリングに応じてデジタルアップコンバージョンの前またはデジタルクリッピングの除去前の有効キャリアのコンバイナパワーＰａを求めるように構成されているコンバイナパワー計算モジュールとを含むことを特徴とする
請求項８に記載の調整装置。
【発明の詳細な説明】
【技術分野】
【０００１】
本発明は無線通信技術分野に関し、特に低遅延デジタルプリディストーション（ＤＰＤ：Ｄｉｇｉｔａｌ  Ｐｒｅ−Ｄｉｓｔｏｒｔｉｏｎ）前のパワー検出に基づくパワー調整方法及び装置に関する。
【背景技術】
【０００２】
現在の無線通信システム、特に、第３、４世代モバイル通信システムにおいて、遠隔無線ユニットは、システムの重要な部分であり、デジタルプリディストーションモジュールは、遠隔無線ユニットの核心部分であり、その指標が遠隔無線ユニットの最大送信パワーに直接関連し、さらに、セルカバレッジ半径及び端末アクセス指標に影響を与える。
【０００３】
従来のデジタルプリディストーションモジュールは、一般的に、ルックアップテーブル構造に基づいているが、ルックアップテーブルの前に、テーブル項目内容を確定するために、モジュール入力データのパワーを計算しなければならず、このパワー検出モジュールは大きな遅延を引き起こすとともに、大量の計算量を消費し、遅延が遠隔無線ユニットの遅延指標に影響を与えることになり、遅延のためのシステムキャッシュが増加し、大きな計算量が遠隔無線ユニットの計算コストを増やすことになる。
【発明の概要】
【発明が解決しようとする課題】
【０００４】
これを鑑みて、本発明実施形態の主な目的は、システム遅延を効果的に低下させ、計算量を減らすために、低遅延ＤＰＤ前のパワー検出に基づくパワー調整方法及び装置を提供することにある。
【課題を解決するための手段】
【０００５】
前記目的を実現するために、本発明実施形態の技術的解決手段は、次のように実現される。
【０００６】
本発明実施形態は低遅延ＤＰＤ前のパワー検出に基づくパワー調整方法を提供し、前記方法は、
事前設定されたシステムキャリア情報に基づいて、各有効キャリアに対応する有効キャリアチャネルを含む有効キャリア情報を取得するステップと、
取得した有効キャリア情報に基づいて各有効キャリアチャネルのキャリアデータに対してサンプリングを行い、その後、前記サンプリングに応じてデジタルアップコンバージョンの前またはデジタルクリッピングの除去前の有効キャリアのコンバイナパワーＰａを求めるステップと、
前記有効キャリアのコンバイナパワーＰａを用いてデジタルプリディストーションの前のパワー調整を行うステップとを含む。
【０００７】
好ましくは、前記サンプリングを行うことは、
実際使用したキャリアデータレートに対応するサンプリングデータのポイントを選択するステップと、
前記サンプリングデータのポイントに応じて、デジタルアップコンバージョン処理されていないキャリアデータに対して、各有効キャリアチャネルで相応のポイントのキャリアデータサンプリングを行うステップとを含む。
【０００８】
好ましくは、前記サンプリングを行うことは、
キャリアデータレートとデジタルアップコンバージョンの補間倍数に応じて、サンプリングデータのポイントを選択するステップと、
前記サンプリングデータのポイントに応じて、デジタルアップコンバージョン処理されたキャリアデータに対して、各有効キャリアチャネルで相応のポイントのキャリアデータサンプリングを行うステップとを含む。
【０００９】
好ましくは、前記デジタルアップコンバージョンの前またはデジタルクリッピングの除去前の有効キャリアのコンバイナパワーＰａを求めるステップは、
各有効キャリアチャネルでの全てのサンプリングポイントでサンプリングされたキャリアデータパワーを用いて、各有効キャリアチャネルの平均キャリアパワーを計算するステップと、
各有効キャリアチャネルの平均キャリアパワーの和を求めることによって、有効キャリアのコンバイナパワーＰａを得るステップとを含む。
【００１０】
好ましくは、前記デジタルアップコンバージョンの前またはデジタルクリッピングの除去前の有効キャリアのコンバイナパワーＰａを求めるステップは、
各サンプリングポイントにおける全ての有効キャリアチャネルでのキャリアデータパワーの和を求めることによって、各サンプリングポイント有効キャリアのコンバイナパワーを得るステップと、
全てのサンプリングポイント有効キャリアのコンバイナパワーに対して累加平均を行い、前記有効キャリアのコンバイナパワーＰａを得るステップとを含む。
【００１１】
好ましくは、前記コンバイナパワーＰａを用いてデジタルプリディストーションの前のパワー調整を行うステップは、
事前に作成されたパワー補償ルックアップテーブルから、前記有効キャリアのコンバイナパワーＰａに対応する補償テーブル項目Ｇａを検索するステップと、
検索された補償テーブル項目Ｇａに基づいて、最後の調整後のパワー値を確定するステップと、
遠隔無線ユニットのクリッピングモジュールのピーク除去処理によるパワー損失を補償できるように、前記パワー値をデジタルプリディストーションモジュールに送信し、当該デジタルプリディストーションモジュールが当該パワー値に応じてパワー調整を行うステップとを含む。
【００１２】
好ましくは、前記最後の調整後のパワー値は、有効キャリアのコンバイナパワーＰａと補償テーブル項目Ｇａの積に等しい。
【００１３】
本発明実施形態はさらに、低遅延ＤＰＤ前のパワー検出に基づくパワー調整装置を提供し、前記装置は、
事前設定されたシステムキャリア情報に基づいて、各有効キャリアに対応する有効キャリアチャネルを含む有効キャリア情報を取得するように構成されているキャリア構成モジュールと、
取得した有効キャリア情報に基づいて各有効キャリアチャネルのキャリアデータに対してサンプリングを行い、その後、前記サンプリングに応じてデジタルアップコンバージョンの前またはデジタルクリッピングの除去前の有効キャリアのコンバイナパワーＰａを求めるように構成されている有効キャリアデータコンバイナパワー計算モジュールと、
前記有効キャリアのコンバイナパワーＰａを用いてデジタルプリディストーションの前のパワー調整を行うように構成されているパワー調整モジュールとを含む。
【００１４】
好ましくは、前記有効キャリアデータコンバイナパワー計算モジュールは、
実際使用したキャリアデータレートに対応するサンプリングデータのポイントを選択して、前記サンプリングデータのポイントに応じて、
デジタルアップコンバージョン処理されていないキャリアデータに対して、各有効キャリアチャネルで相応のポイントのキャリアデータサンプリングを行うように構成されているサンプリングモジュールと、
前記サンプリングに応じてデジタルアップコンバージョンの前またはデジタルクリッピングの除去前の有効キャリアのコンバイナパワーＰａを求めるように構成されているコンバイナパワー計算モジュールとを含む。
【００１５】
好ましくは、前記有効キャリアデータコンバイナパワー計算モジュールは、
キャリアデータレートとデジタルアップコンバージョンの補間倍数に応じて、サンプリングデータのポイントを選択し、そして前記サンプリングデータのポイントに応じて、デジタルアップコンバージョン処理されたキャリアデータに対して、各有効キャリアチャネルで相応のポイントのキャリアデータサンプリングを行うように構成されているサンプリングモジュールと、
前記サンプリングに応じてデジタルアップコンバージョンの前またはデジタルクリッピングの除去前の有効キャリアのコンバイナパワーＰａを求めるように構成されているコンバイナパワー計算モジュールとを含む。
【００１６】
従来の技術と比べると、本発明実施形態により提供される技術的解決手段の有益な効果は、以下のとおりである。
【００１７】
１、パワー計算をアップコンバージョンモジュールの前に移動したため、デジタルアップコンバージョン及びクリッピングモジュールの固有遅延を充分に利用してパワー計算に必要な時間を相殺し、システム遅延を効果的に低下させ、理論的には遅延をＬ／ｆｂまで低下させることができる。
【００１８】
２、パワー計算に必要な計算量も大幅に減少させ、本発明実施形態で必要な計算量がＭ＊ｆｂであるのに対して、既存の方法による必要な計算量がＮ＊ｆｂであり、ここで、Ｎはアップコンバージョンの補間倍数であり、一般的に、ＮがＭよりはるかに大きい。
【図面の簡単な説明】
【００１９】
【図１】図１は本発明実施形態に係る低遅延デジタルプリディストーションの前のパワー検出に基づくパワー調整方法のフローチャートである。
【図２】図２は本発明実施形態に係る低遅延デジタルプリディストーションの前のパワー検出に基づくパワー調整装置を示す図である。
【図３】図３は本発明実施形態に係る低遅延ＤＰＤ前のパワー検出方法の構造ブロック図である。
【図４】図４は本発明実施形態に係る低遅延ＤＰＤ前のパワー検出方法の変形構造ブロック図である。
【発明を実施するための形態】
【００２０】
以下は、図面を合わせながら本発明の最適な実施形態に対して詳しい説明を行い、以下説明される最適の実施形態が本発明の説明と解釈だけに用いられ、本発明を限定するものでないのは、理解されるべきである。
【００２１】
本発明実施形態の主な目的は、デジタルプリディストーション技術におけるこのパワー検出モジュールの欠陥に対して、相応的な改善を行い、遅延減少、計算量低減の効果を達するためである。
【００２２】
図１は本発明実施形態が提供する低遅延デジタルプリディストーションの前のパワー検出に基づくパワー調整方法のフローチャートであり、図１に示されるように、前記方法は、次のステップを含む。
【００２３】
Ｓ１０１において、事前設定されたシステムキャリア情報に基づいて、各有効キャリアに対応する有効キャリアチャネルを含む有効キャリア情報を取得する。
【００２４】
Ｓ１０２において、取得した有効キャリア情報に基づいて各有効キャリアチャネルのキャリアデータに対してサンプリングを行い、その後、前記サンプリングに応じてデジタルアップコンバージョンの前またはデジタルクリッピングの除去前の有効キャリアのコンバイナパワーＰａを求める。
【００２５】
Ｓ１０３において、前記有効キャリアのコンバイナパワーＰａを用いてデジタルプリディストーションの前にパワー調整を行う。
【００２６】
前記サンプリングを行うことは、実際使用したキャリアデータレートに対応するサンプリングデータのポイントを選択するステップと、前記サンプリングデータのポイントに応じて、デジタルアップコンバージョン処理されていないキャリアデータに対して、各有効キャリアチャネルで相応のポイントのキャリアデータサンプリングを行うステップとを含む。
【００２７】
前記サンプリングを行うことは、キャリアデータレートとデジタルアップコンバージョンの補間倍数に応じて、サンプリングデータのポイントを選択するステップと、前記サンプリングデータのポイントに応じて、デジタルアップコンバージョン処理されたキャリアデータに対して、各有効キャリアチャネルで相応のポイントのキャリアデータサンプリングを行うステップとを含む。
【００２８】
前記デジタルアップコンバージョンの前またはデジタルクリッピングの除去前の有効キャリアのコンバイナパワーＰａを求めるステップは、各有効キャリアチャネルでの全てのサンプリングポイントでサンプリングされたキャリアデータパワーを用いて、各有効キャリアチャネルの平均キャリアパワーを計算するステップと、各有効キャリアチャネルの平均キャリアパワーの和を求めることによって、有効キャリアのコンバイナパワーＰａを得るステップとを含む。
【００２９】
前記デジタルアップコンバージョンの前またはデジタルクリッピングの除去前の有効キャリアのコンバイナパワーＰａを求めるステップは、各サンプリングポイントにおける全ての有効キャリアチャネルでのキャリアデータパワーの和を求めることによって、各サンプリングポイント有効キャリアのコンバイナパワーを得るステップと、全てのサンプリングポイント有効キャリアのコンバイナパワーに対して累加平均を行い、前記有効キャリアのコンバイナパワーＰａを得るステップとを含む。
【００３０】
前記コンバイナパワーＰａを用いてデジタルプリディストーションの前のパワー調整を行うステップは、事前に作成されたパワー補償ルックアップテーブルから、前記有効キャリアのコンバイナパワーＰａに対応する補償テーブル項目Ｇａを検索するステップと、検索された補償テーブル項目Ｇａに基づいて、最後の調整後のパワー値を確定するステップと、遠隔無線ユニットのクリッピングモジュールがピーク除去処理によるパワー損失を補償できるように、前記パワー値をデジタルプリディストーションモジュールに送信し、当該デジタルプリディストーションモジュールが当該パワー値に応じてパワー調整を行うステップとを含む。
【００３１】
前記最後の調整後のパワー値は、有効キャリアのコンバイナパワーＰａと補償テーブル項目Ｇａの積に等しい。
【００３２】
図２は本発明実施形態が提供する低遅延デジタルプリディストーションの前のパワー検出に基づくパワー調整装置を示す図であり、図２に示されるように、前記装置は、事前設定されたシステムキャリア情報に基づいて、各有効キャリアに対応する有効キャリアチャネルを含む有効キャリア情報を取得するように構成されているキャリア構成モジュール２０１と、取得した有効キャリア情報に基づいて各有効キャリアチャネルのキャリアデータに対してサンプリングを行い、その後、前記サンプリングに応じてデジタルアップコンバージョンの前またはデジタルクリッピングの除去前の有効キャリアのコンバイナパワーＰａを求めるように構成されている有効キャリアデータコンバイナパワー計算モジュール２０２と、前記有効キャリアのコンバイナパワーＰａを用いてデジタルプリディストーションの前のパワー調整を行うように構成されているパワー調整モジュール２０３とを含む。
【００３３】
前記有効キャリアデータコンバイナパワー計算モジュール２０２は、実際使用したキャリアデータレートに対応するサンプリングデータのポイントを選択して、前記サンプリングデータのポイントに応じて、デジタルアップコンバージョン処理されていないキャリアデータに対して、各有効キャリアチャネルで相応のポイントのキャリアデータサンプリングを行うように構成されているサンプリングモジュールと、前記サンプリングに応じてデジタルアップコンバージョンの前またはデジタルクリッピングの除去前の有効キャリアのコンバイナパワーＰａを求めるように構成されているコンバイナパワー計算モジュールとを含む。
【００３４】
前記有効キャリアデータコンバイナパワー計算モジュールは、キャリアデータレートとデジタルアップコンバージョンの補間倍数に応じて、サンプリングデータのポイントを選択し、そして前記サンプリングデータのポイントに応じて、デジタルアップコンバージョン処理されたキャリアデータに対して、各有効キャリアチャネルで相応のポイントのキャリアデータサンプリングを行うように構成されているサンプリングモジュールと、前記サンプリングに応じてデジタルアップコンバージョンの前またはデジタルクリッピングの除去前の有効キャリアのコンバイナパワーＰａを求めるように構成されているコンバイナパワー計算モジュールとを含む。
【００３５】
実際応用において、前記低遅延デジタルプリディストーションの前のパワー検出に基づくパワー調整装置は、無線通信システムの遠隔無線ユニットに設けられてもよく、上記キャリア構成モジュール２０１、有効キャリアデータコンバイナ計算モジュール２０２、パワー調整モジュール２０３は、いずれも、遠隔無線ユニットのＣＰＵ、デジタル信号プロセッサー（ＤＳＰ：Ｄｉｇｉｔａｌ  Ｓｉｇｎａｌ  Ｐｒｏｃｅｓｓｏｒ）またはフィールド・プログラマブル・ゲート・アレイ（ＦＰＧＡ：Ｆｉｅｌｄ  Ｐｒｏｇｒａｍｍａｂｌｅ  Ｇａｔｅ  Ａｒｒａｙ）によって実現されることができる。
【００３６】
図３は本発明実施形態に係る低遅延ＤＰＤ前のパワー検出方法の構造ブロック図であり、図３に示されるように、モジュールＡ：キャリア構成装置、モジュールＢ：有効キャリアデータ計算チャネル、およびモジュールＣ：ゲイン調整装置を備え、モジュールＡ：キャリア構成装置は、有効キャリアの情報、即ち、システムで情報をベアラする有効キャリアの数、及び対応する入力データチャネルを提供し、この部分の情報は、上層ソフトウェア構成によって得られることができる。モジュールＢ：有効キャリアデータ計算装置は、装置Ａに提供された情報に基づいて、対応する有効キャリア平均パワーを求める。モジュールＣ：ゲイン調整装置は、ネクストレベルクリッピングモジュールのピーク除去によって導入されたパワー差を補償する。
【００３７】
前記モジュールＡに有効キャリア情報を提供する具体的な内容は、次のステップを含む。
【００３８】
ステップＡ１において、システムで最大キャリアチャネル個数Ｍｍａｘを確定する。
【００３９】
ステップＡ２において、全てのキャリアチャネルに対応するチャネル番号が０，１，２，…，Ｍｍａｘ−１である。
【００４０】
ステップＡ３において、システムが実際に構成したチャネル番号の個数Ｍを確定し、Ｍ≦Ｍｍａｘである。
【００４１】
ステップＡ４において、実際有効キャリアチャネル番号が、０，１，２，…，Ｍ−１である。
【００４２】
前記モジュールＢにおいて、前記モジュールＡにより提供された情報に基づいて、対応する有効キャリヤ平均パワーの具体的な内容は次のステップを含む。
【００４３】
ステップＢ１において、入力キャリアデータレートｆｂ、および装置の演算レートｆｍを選択し、ここで、ｆｍ＝Ｋ＊ｆｂであり、ここで、Ｋ＝Ｍであり、このようにして、演算効率を効果的に向上させると同時に、演算量の無駄を回避することができる。
【００４４】
ステップＢ２において、サンプリングデータ長さを選択し、Ｌと記録する。
【００４５】
ステップＢ３において、Ａの実際に構成された有効キャリア情報に基づいて、それぞれサンプリング（Ｌポイント）して、対応する有効キャリヤチャネル番号０，１，２，…，Ｍ−１のキャリアパワーｐ０，ｐ１，ｐ２，…，ｐＭ−１を計算する。
【００４６】
ステップＢ４において、全ての有効キャリアのコンバイナパワーを計算する。
【００４７】
前記モジュールＣにおいて、ネクストレベルクリッピングモジュールのピーク除去によって導入されたパワー差を補償することの具体的な内容は次のステップを含む。
【００４８】
ステップＣ１において、Ａのキャリア構成情報及びシステムの最大許可のコンバイナパワーＰｍａｘに基づいてパワー補償ルックアップテーブルを作成し、パワー補償ルックアップテーブルはアルゴリズムのシミュレーションで異なるキャリアパワー構成をトラバースすることによって得ることができる。
【００４９】
ステップＣ２において、Ｂで計算した最終結果Ｐａに基づいて、Ｃ１での補償テーブル項目Ｇａを問い合わせる。
【００５０】
ステップＣ３において、ＧａとＰａを乗算して、最後の調整後のパワー値Ｐｏを得て、デジタルプリディストーションモジュールに送信する。
【００５１】
以下、図３に記載された具体的な実施例について詳しく説明する。
【００５２】
ステップＡ１において、システムで最大キャリアチャネル個数を確定し、Ｍｍａｘ＝１２を例とする。
【００５３】
ステップＡ２において、全てのキャリアチャネルに対応するチャネル番号が０，１，２，…，１１である。
【００５４】
ステップＡ３において、システムが実際に構成したチャネル番号の個数を確定し、Ｍ＝６を例とする。
【００５５】
ステップＡ４において、実際有効キャリアチャネル番号が、０，１，２，３，４，５である。
【００５６】
ステップＢ１において、キャリアデータレートｆｂ＝１．２８ＭＨｚを選択し、Ｍ＝６だから、選択装置の演算レートは、ｆｍ＝６＊ｆｂ＝７．６８ＭＨｚである。
【００５７】
ステップＢ２において、サンプリングデータ長さを選択し、Ｌ＝１２８（ｆｂレート以下）である。
【００５８】
ステップＢ３において、Ａの実際に構成された有効キャリア情報に基づいて、それぞれ１２８ポイントをサンプリングし、対応する有効キャリアチャネル番号０，１，２，…，５のキャリアパワーｐ０，ｐ１，ｐ２，…，ｐ５を計算する。
【００５９】
ステップＢ４において、全ての有効キャリアのコンバイナパワーを計算し、Ｐａ＝−１６ｄｂｆｓを例として、ステップＢ３とＢ４は、まず各サンプリングポイントでの６個のキャリアデータに対して和を求め（ｆｍのレートを充分に利用できる）、そして１２８個のサンプリングポイントを累加平均することもできる。
【００６０】
ステップＣ１において、Ａのキャリア構成情報及びシステムの最大許可のコンバイナパワーＰｍａｘに基づいてパワー補償ルックアップテーブルを作成する。Ｍ＝６，Ｐｍａｘ＝−１５ｄｂｆｓを例として、各二つのテーブル項目間の差が０．１ｄＢであり、トータルで１５０個のテーブル項目がある（コンバイナパワーが−３０ｄｂｆｓより小さい場合、クリッピングせず、調整する必要もないと認められる）。
【００６１】
ステップＣ２において、Ｂで計算された最終結果Ｐａ＝−１６ｄｂｆｓに基づいて、Ｃ１における補償テーブル項目Ｇａ＝０．９９６８を問い合わせる。
【００６２】
ステップＣ３において、Ｇａ＝０．９９６８とＰａ＝−１６ｄｂｆｓを乗算し、最後の調整後のパワー値Ｐｏ＝−１６．０２８ｄｂｆｓを得て、デジタルプリディストーションモジュールに送信する。
【００６３】
図４は本発明実施形態に係る低遅延ＤＰＤ前のパワー検出方法の変形構造ブロック図であり、図４に示されるように、次のステップを含む。
【００６４】
ステップＡ１において、システムで最大キャリアチャネル個数を確定し、Ｍｍａｘ＝１２を例とする。
【００６５】
ステップＡ２において、全てのキャリアチャネルに対応するチャネル番号が０，１，２，…，１１である。
【００６６】
ステップＡ３において、システムが実際に構成したチャネル番号の個数を確定し、Ｍ＝１２を例とする。
【００６７】
ステップＡ４において、実際有効キャリアチャネル番号が、０，１，２，３，４，５，６，７，８，９，１０，１１である。
【００６８】
ステップＢ１において、キャリアデータレートｆｂ＝１．２８ＭＨｚを選択し、Ｍ＝６であるから、選択装置の演算レートは、ｆｍ＝６＊ｆｂ＝７．６８ＭＨｚである。
【００６９】
ステップＢ２において、サンプリングデータ長さを選択し、Ｌ＝８１９２（Ｎ＝６４倍でアップコンバージョン下で、元のベースバンド１２８ポイントを補間して８１９２ポイントになる）である。
【００７０】
ステップＢ３において、Ａにおいて実際に構成された有効キャリア情報に基づいて、それぞれ１２８ポイントをサンプリングし、対応する有効キャリアチャネル番号０，１，２，…，５のキャリアパワーｐ０，ｐ１，ｐ２，…，ｐ５を計算する。
【００７１】
ステップＢ４において、Ｌポイントキャリアのコンバイナパワーを計算し、Ｐａ＝−１５ｄｂｆｓを例とする。
【００７２】
ステップＣ１において、Ａのキャリア構成情報及びシステムの最大許可のコンバイナパワーＰｍａｘに基づいてパワー補償ルックアップテーブルを作成する。Ｍ＝１２，Ｐｍａｘ＝−１５ｄｂｆｓを例として、各二つのテーブル項目間の差が０．１ｄＢであり、トータルで１５０個のテーブル項目がある（コンバイナパワーが−３０ｄｂｆｓより小さい場合、クリッピングせず、調整する必要もないと認められる）。
【００７３】
ステップＣ２において、Ｂで計算された最終結果Ｐａ＝−１５ｄｂｆｓに基づいて、Ｃ１における補償テーブル項目Ｇａ＝０．９９５を問い合わせる。
【００７４】
ステップＣ３において、Ｇａ＝０．９９５とＰａ＝−１５ｄｂｆｓを乗算し、最後の調整後のパワー値Ｐｏ＝−１５．０２２ｄｂｆｓを得て、デジタルプリディストーションモジュールに送信する。
【００７５】
要約すれば、本発明に係る技術的解決手段は以下の技術的効果を有する。
【００７６】
１、パワー計算をアップコンバージョンモジュールの前に移動したため、デジタルアップコンバージョン及びクリッピングモジュールの固有遅延を充分に利用してパワー計算に必要な時間を相殺し、システム遅延を効果的に低下させ、理論的には遅延をＬ／ｆｂまで低下させることができる。
【００７７】
２、パワー計算に必要な計算量も大幅に減少させ、本発明実施形態に必要な計算量がＭ＊ｆｂであるのに対して、既存の方法による必要な計算量がＮ＊ｆｂがであり、ここで、Ｎはアップコンバージョンの補間倍数であり、一般的に、ＮがＭよりはるかに大きい。
【００７８】
上述したように本発明を詳しく説明したが、本発明はこれに限らず、本分野の技術者が本発明の原理に基づいて様々な改修をすることができる。したがって、本発明の主旨精神と原則以内に、いかなる改修、同等入れ替わり、改良等が、本発明の保護範囲以内に含まれるべきである。
【産業上の利用可能性】
【００７９】
本発明実施形態において、事前設定されたシステムキャリア情報に基づいて、各有効キャリアに対応する有効キャリアチャネルを含む有効キャリア情報を取得し、取得した有効キャリア情報に基づいて各有効キャリアチャネルのキャリアデータに対してサンプリングを行い、その後、前記サンプリングに応じてデジタルアップコンバージョンの前またはデジタルクリッピングの除去前の有効キャリアのコンバイナパワーＰａを求め、前記有効キャリアのコンバイナパワーＰａを用いてデジタルプリディストーションの前のパワー調整を行う。このように、パワー計算をアップコンバージョンモジュールの前に移動し、デジタルアップコンバージョン及びクリッピングモジュールの固有遅延を充分に利用してパワー計算に必要な時間を相殺し、システム遅延を効果的に低下させる。
【図１】
0006001197.tif 000002
【図２】
0006001197.tif 000003
【図３】
0006001197.tif 000004
【図４】
0006001197.tif 000005